(57)【要約】【課題】ある地域の評価についてのアンケートを行い、その結果を当該地域の地図上に表現するシステム及びその方法を提供する。【解決手段】画像を表示する画像表示装置２０と、演算及び制御を行うＣＰＵ４１と、表示される画像に対して操作指令を入力する入力装置３０と、情報を記憶するＲＡＭ４３を備え、ＣＰＵ４１は、設定された地域の地図画像をメッシュによって分割して複数の要素地図画像とし画像表示装置２０に表示させるとともに、要素地図画像を入力装置３０により選択可能な選択スイッチ情報を要素地図画像の画面領域内に埋め込んで表示させ、アンケート被験者が選択スイッチ情報に選択操作を行った場合には、選択又は非選択若しくは選択の時間的順序をＲＡＭ４３に記憶させ、複数のアンケート被験者によるアンケートの結果を集約する。【選択図】        図１
2005004483.tif 000002
【特許請求の範囲】
【請求項１】
画像を表示する画像表示部と、
演算及び制御を行う制御部と、
前記画像表示部に表示される前記画像に対して操作指令を入力する入力部と、
情報を記憶する記憶部を備え、
前記制御部は、設定された地域の地図画像をメッシュによって分割して複数の要素地図画像とし前記画像表示部に表示させるとともに、前記要素地図画像を前記入力部により選択可能な選択スイッチ情報を前記要素地図画像の画面領域内に埋め込んで表示させ、アンケート被験者が前記選択スイッチ情報に選択操作を行った場合には、選択又は非選択若しくは前記選択の時間的順序を前記記憶部に記憶させ、複数の前記アンケート被験者によるアンケートの結果を集約すること
を特徴とする地域評価アンケート情報収集システム。
【請求項２】
請求項１記載の地域評価アンケート情報収集システムにおいて、
前記制御部は、
前記選択又は前記非選択に応じて前記要素地図画像に２値のいずれかを付与し、複数の前記アンケート被験者による前記２値の結果を前記要素地図画像ごとに積算すること
を特徴とする地域評価アンケート情報収集システム。
【請求項３】
請求項１記載の地域評価アンケート情報収集システムにおいて、
前記制御部は、
前記要素地図画像を前記選択の時間的順序が早いものから順に結合させて構成した経路を選択経路とし、
前記選択経路に１対１に対応する経路識別情報を付与し、複数の前記アンケート被験者による前記経路識別の結果を積算すること
を特徴とする地域評価アンケート情報収集システム。
【請求項４】
請求項２記載の地域評価アンケート情報収集システムにおいて、
前記制御部は、
前記アンケートの結果の各要素地図画像ごとの２値の積算値に応じて、前記要素地図画像の表示形態を異ならせること
を特徴とする地域評価アンケート情報収集システム。
【請求項５】
請求項４記載の地域評価アンケート情報収集システムにおいて、
前記表示形態は、
前記アンケートの結果の各要素地図画像ごとの２値の積算値の数値区間ごとに異なる模様又は色彩若しくはこれらの組み合わせを割り当て、該当する前記模様又は色彩若しくはこれらの組み合わせによってなされた前記要素地図画像の塗り分け表示であること
を特徴とする地域評価アンケート情報収集システム。
【請求項６】
請求項４記載の地域評価アンケート情報収集システムにおいて、
前記表示形態は、
前記アンケートの結果の各要素地図画像ごとの２値の積算値に比例させて鉛直方向の高さを図示した立体ヒストグラムの斜視画像であること
を特徴とする地域評価アンケート情報収集システム。
【請求項７】
請求項１記載の地域評価アンケート情報収集システムにおいて、
前記入力部は、
前記画像表示部の画面上のポインタを移動可能でかつ前記選択スイッチ情報を選択可能なポインティング・デバイスであること
を特徴とする地域評価アンケート情報収集システム。
【請求項８】
請求項１記載の地域評価アンケート情報収集システムにおいて、
前記入力部は、
前記画像表示部の表面に配置され、押圧されることにより前記選択スイッチ情報の選択を検出する透明電極を有すること
を特徴とする地域評価アンケート情報収集システム。
【請求項９】
請求項１記載の地域評価アンケート情報収集システムにおいて、
前記制御部は、
前記入力部から入力された前記アンケート被験者の属性情報ごとにグループ分けを行い、前記各グループごとに前記アンケート結果を出力すること
を特徴とする地域評価アンケート情報収集システム。
【請求項１０】
画像を表示する画像表示部と、
演算及び制御を行う制御部と、
前記画像表示部に表示される前記画像に対して操作指令を入力する入力部と、
情報を記憶する記憶部を用い、
前記制御部により、設定された地域の地図画像をメッシュによって分割して複数の要素地図画像とし前記画像表示部に表示させるとともに、前記要素地図画像を前記入力部により選択可能な選択スイッチ情報を前記要素地図画像の画面領域内に埋め込んで表示させ、アンケート被験者が前記選択スイッチ情報に選択操作を行った場合には、選択又は非選択若しくは前記選択の時間的順序を前記記憶部に記憶させ、複数の前記アンケート被験者によるアンケートの結果を集約すること
を特徴とする地域評価アンケート情報収集方法。
【発明の詳細な説明】
【０００１】
【発明の属する技術分野】
本発明は、メッシュによって分割された地図画像の選択又は非選択等のアンケート結果を集約する地域評価アンケート情報収集システム及び地域評価アンケート情報収集方法に関するものである。
【０００２】
【従来の技術】
従来、各種のアンケート調査の方法としては、操作端末装置で選択されたアンケート項目を集計して、その結果を出力するシステムなどが知られている（例えば、特許文献１参照）。
【０００３】
【特許文献１】
特開平１１−３９３５１号公報
【０００４】
【発明が解決しようとする課題】
しかし、上記した従来のアンケートの集約システムにおいては、ある地域の評価についてのアンケートを行い、その結果を的確に提示する、といった機能はなかった。
【０００５】
本発明は上記の問題を解決するためになされたものであり、本発明の解決しようとする課題は、ある地域の評価についてのアンケートを行い、その結果を当該地域の地図上に表現するシステム及びその方法を提供することにある。
【０００６】
【課題を解決するための手段】
上記課題を解決するため、本発明に係る地域評価アンケート情報収集システムは、
画像を表示する画像表示部と、
演算及び制御を行う制御部と、
前記画像表示部に表示される前記画像に対して操作指令を入力する入力部と、
情報を記憶する記憶部を備え、
前記制御部は、設定された地域の地図画像をメッシュによって分割して複数の要素地図画像とし前記画像表示部に表示させるとともに、前記要素地図画像を前記入力部により選択可能な選択スイッチ情報を前記要素地図画像の画面領域内に埋め込んで表示させ、アンケート被験者が前記選択スイッチ情報に選択操作を行った場合には、選択又は非選択若しくは前記選択の時間的順序を前記記憶部に記憶させ、複数の前記アンケート被験者によるアンケートの結果を集約すること
を特徴とする。
【０００７】
上記した地域評価アンケート情報収集システムにおいて、好ましくは、
前記制御部は、
前記選択又は前記非選択に応じて前記要素地図画像に２値のいずれかを付与し、複数の前記アンケート被験者による前記２値の結果を前記要素地図画像ごとに積算する。
【０００８】
また、上記した地域評価アンケート情報収集システムにおいて、好ましくは、
前記制御部は、
前記要素地図画像を前記選択の時間的順序が早いものから順に結合させて構成した経路を選択経路とし、
前記選択経路に１対１に対応する経路識別情報を付与し、複数の前記アンケート被験者による前記経路識別の結果を積算する。
【０００９】
また、上記した地域評価アンケート情報収集システムにおいて、好ましくは、
前記制御部は、
前記アンケートの結果の各要素地図画像ごとの２値の積算値に応じて、前記要素地図画像の表示形態を異ならせる。
【００１０】
また、上記した地域評価アンケート情報収集システムにおいて、好ましくは、
前記表示形態は、
前記アンケートの結果の各要素地図画像ごとの２値の積算値の数値区間ごとに異なる模様又は色彩若しくはこれらの組み合わせを割り当て、該当する前記模様又は色彩若しくはこれらの組み合わせによってなされた前記要素地図画像の塗り分け表示である。
【００１１】
また、上記した地域評価アンケート情報収集システムにおいて、好ましくは、前記表示形態は、
前記アンケートの結果の各要素地図画像ごとの２値の積算値に比例させて鉛直方向の高さを図示した立体ヒストグラムの斜視画像である。
【００１２】
また、上記した地域評価アンケート情報収集システムにおいて、好ましくは、
前記入力部は、
前記画像表示部の画面上のポインタを移動可能でかつ前記選択スイッチ情報を選択可能なポインティング・デバイスである。
【００１３】
また、上記した地域評価アンケート情報収集システムにおいて、好ましくは、
前記入力部は、
前記画像表示部の表面に配置され、押圧されることにより前記選択スイッチ情報の選択を検出する透明電極を有する。
【００１４】
また、上記した地域評価アンケート情報収集システムにおいて、好ましくは、
前記制御部は、
前記入力部から入力された前記アンケート被験者の属性情報ごとにグループ分けを行い、前記各グループごとに前記アンケート結果を出力する。
【００１５】
また、本発明に係る地域評価アンケート情報収集方法は、
画像を表示する画像表示部と、
演算及び制御を行う制御部と、
前記画像表示部に表示される前記画像に対して操作指令を入力する入力部と、
情報を記憶する記憶部を用い、
前記制御部により、設定された地域の地図画像をメッシュによって分割して複数の要素地図画像とし前記画像表示部に表示させるとともに、前記要素地図画像を前記入力部により選択可能な選択スイッチ情報を前記要素地図画像の画面領域内に埋め込んで表示させ、アンケート被験者が前記選択スイッチ情報に選択操作を行った場合には、選択又は非選択若しくは前記選択の時間的順序を前記記憶部に記憶させ、複数の前記アンケート被験者によるアンケートの結果を集約すること
を特徴とする。
【００１６】
【発明の実施の形態】
以下、本発明に係る地域評価アンケート情報収集システムの実施形態について、図面を参照しながら詳細に説明する。
【００１７】
図１は、本発明の一実施形態である地域評価アンケート情報収集システムの全体構成を示す図である。また、図２は、本発明の一実施形態である地域評価アンケート情報収集システムにおけるコンピュータのハードウェア的な構成を示す図である。
【００１８】
図１に示すように、この地域評価アンケート情報収集システム１００は、コンピュータ１０と、画像表示装置２０と、入力装置３０と、出力装置６０を備えて構成されている。
【００１９】
コンピュータ１０のハードウェア的な構成は、図２に示されている。すなわち、コンピュータ１０は、ＣＰＵ４１と、ＲＯＭ４２と、ＲＡＭ４３と、入出力インタフェイス部１１を備えて構成されている。
【００２０】
これらの構成要素のうち、ＣＰＵ（Ｃｅｎｔｒａｌ  Ｐｒｏｃｅｓｓｉｎｇ  Ｕｎｉｔ：中央演算処理装置）４１は、各種演算、あるいはこの地域評価アンケート情報収集システム１００全体の制御を行う部分であり、ＣＰＵ４１の内部での電流（信号）の授受を行うための信号線である内部バス（図示せず）を有しており、この内部バスに、演算部（図示せず）と、レジスタ（図示せず）と、クロック生成部（図示せず）と、命令処理部（図示せず）等が接続されている。
【００２１】
ＣＰＵ４１内の演算部は、レジスタに記憶されている各種データに対して、四則演算（加算、減算、乗算、及び除算）を行い、又は論理演算（論理積、論理和、否定、排他的論理和など）を行い、又はデータ比較、若しくはデータシフトなどの処理を実行する部分である。処理の結果は、レジスタ等に格納される。クロック生成部は、ＣＰＵ４１の各部分の時間の同期をとるための刻時信号（クロック信号）を生成する。ＣＰＵ４１は、このクロック信号に基づいて動作する。命令処理部は、演算部等が実行すべき命令の取り出し、その解読、及びその実行などを制御し処理する。また、ＣＰＵ４１は、クロック信号をもとに、送られてくるデータ又は演算した結果とその時刻をリアルタイムで検出し、ＲＡＭ４３等に一時記憶させる。
【００２２】
ＲＯＭ（Ｒｅａｄ  Ｏｎｌｙ  Ｍｅｍｏｒｙ：読出し専用メモリ）４２は、ＣＰＵ４１を制御するための制御プログラムや、ＣＰＵが用いる各種データ等を格納している。ＲＯＭ４２としては、半導体チップにより構成されるものと、ハードディスク装置等が用いられる。ＣＰＵ４１の制御プログラムには、ＯＳ（Ｏｐｅｒａｔｉｎｇ  Ｓｙｓｔｅｍ）等のＣＰＵ４１の基本ソフトウェアのほか、各種の処理や分析演算等をＣＰＵ４１に実行させるための命令等の処理手順が含まれる。
【００２３】
また、ＲＡＭ（Ｒａｎｄｏｍ  Ａｃｃｅｓｓ  Ｍｅｍｏｒｙ：随時書込み読出しメモリ）４３は、ＣＰＵ４１により演算された途中のデータ等の情報を一時記憶する。ＲＡＭ４３は、例えば半導体チップ等により構成される。
【００２４】
ＣＰＵ４１によって生成されたディジタル電気信号、又はＣＰＵ４１へ入力されるディジタル電気信号は、入出力インタフェイス部１１を経て外部と授受される。入出力インタフェイス部１１内には、ディジタル信号とアナログ信号の変換系であるＡ／Ｄコンバータ、Ｄ／Ａコンバータ等（図示せず）が設けられている。
【００２５】
また、入力装置３０は、キーボードやポインティング・デバイス等を有しており、コンピュータ１０の操作指令やデータの入力等が行われる。ポインティング・デバイスとは、画像表示装置２０の画面上に、矢印状の図形（ポインタ）が表示され、操作によってポインタを移動することができ、かつ画面の任意の位置をクリック等によって選択可能な装置であり、マウスのほか、パッド状のもの、回転可能なボール状のものなどがある。入力装置３０に入力された操作指令やデータは、入出力インタフェイス部１１を経て、コンピュータ１０内のＣＰＵ４１へ送られる。
【００２６】
また、画像表示装置２０は、ブラウン管や液晶表示器等からなり、コンピュータ１０内のＣＰＵ４１から入出力インタフェイス部１１を経て出力されたデータは、画像や文字・数字等として画面に表示される。なお、出力されたデータは、さらにプリンタ（図示せず）により紙に印刷されて出力されることも可能となっている。
【００２７】
また、出力装置６０は、コンピュータ１０内のＣＰＵ４１から入出力インタフェイス部１１を経て出力されたデータを外部へ出力する装置である。出力装置６０としては、出力端子、送信装置、媒体記録装置が含まれる。媒体記録装置としては、磁気又は光等によりディスクやカード等の記録媒体にデータを記録する装置等が挙げられる。
【００２８】
上記したＣＰＵ４１の制御あるいは処理は、ＲＯＭ４２とＲＡＭ４３と共同しながら実行するソフトウェア・プログラムによって実現される。
【００２９】
次に、この実施形態の地域評価アンケート情報収集システム１００の作用について説明する。
【００３０】
図３に示すように、画像表示装置２０においては、画面５０は、垂直線と水平線からなるメッシュにより複数の領域に分割されている。図３の例では、上下方向にｍ個（ｍ：２以上の整数）に分割されるとともに、左右方向にｎ個（ｎ：２以上の整数）に分割されており、全体として（ｍ×ｎ）個の領域Ｐ１１〜Ｐｍｎに分割されている。なお、画面５０上においては、メッシュを区画する垂直線と水平線は、データの上のみのものとして表示されなくてもよい。
【００３１】
画面５０には、例えば、アンケート評価を行う地域の地図画像が表示される。この地図画像は、図３の例の場合には、（ｍ×ｎ）個の領域Ｐ１１〜Ｐｍｎに分割されることになる。この場合、地図画像において、分割された個々の要素Ｐ１１等を、以下、「要素地図画像」という。
【００３２】
また、それぞれの要素地図画像Ｐ１１等には、図示はしていないが、選択スイッチ情報が埋め込まれている。この選択スイッチ情報は、入力装置３０のキー又はポインティング・デバイス等によって、ある要素地図画像が選択された場合に、その要素地図画像が選択された旨をＣＰＵ４１が検知するスイッチの機能を果たす。具体的には、画面５０上の各々の位置を座標で表しておき、ある要素地図画像の領域で、アンケート被験者によって入力装置３０がクリック等された場合に、ＣＰＵ４１は、該当する要素地図画像が選択されたと判断する、といったような制御である。
【００３３】
なお、この場合、入力装置３０としては、いわゆるタッチパネルスイッチを用いてもよい。タッチパネルスイッチとは、画像表示装置２０の表面に配置された透明電極を有し、この透明電極が押圧されることによりスイッチ操作が行われ、選択スイッチ情報の選択を検出する装置である。また、入力装置３０としては、いわゆるライトペンも使用可能である。ライトペンは、画像表示装置２０の表示面の表面に、光の照射により直接入力を行い、選択スイッチ情報の選択を検出する装置である。
【００３４】
ＣＰＵ４１は、選択又は非選択に応じて、要素地図画像Ｐ１１等のそれぞれに、値を付与する。例えば、選択された場合には「１」を、選択されなかった場合には「０」を付与する。これは、逆であってもよいし、他の異なる２値であってもよい。これによって、１人のアンケート被験者について、各要素地図画像Ｐ１１等に値が付与される。この結果は、ＲＡＭ４３に記憶される。このようなアンケートを複数のアンケート被験者について行うと、ＣＰＵ４１は、複数のアンケート被験者によって各要素地図画像Ｐ１１等に付与された値を、各要素地図画像ごとに加算（積算）し、その結果を、各要素地図画像ごとにＲＡＭ４３に記憶される。
【００３５】
次に、ＣＰＵ４１は、アンケートの結果を、アンケート実施者に出力する。アンケート実施者とは、この地域評価アンケート情報収集システム１００を設置してアンケートを行う者である。アンケート結果の出力は、この地域評価アンケート情報収集システム１００の画像表示装置２０を用いて出力してもよいし、出力装置６０によって出力されてもよい。
【００３６】
ＣＰＵ４１は、上記のようにして各要素地図画像Ｐ１１等の積算値の結果に基づいて、アンケート結果データを作成する。例えば、このアンケート結果データは、積算値の値に応じて、要素地図画像の表示形態を異ならせるような画像データとする。具体的には、積算値の値の範囲に応じて、その要素地図画像を異なる模様で表示させる。図４は、この具体例である。この例は、駅及び駅周辺の各地域をどのように利用しているかを質問した結果である。この場合には、質問として、例えば、「あなたが通勤又は通学のときに利用するゾーンにふれてください。」という質問を用意し、入力装置としてタッチパネルスイッチを用いている。そして、アンケート結果の数値範囲に応じて、各ゾーン（要素地図画像）ごとに、「アミかけ」、「斜線」、「濃いアミかけ」、「チェック模様」などを割り当てて塗り分け表示する。又は、模様のかわりに、「赤」、「青」、「黄色」等の異なる色彩を割り当てて塗り分け表示してもよい。あるいは、模様と色彩の組み合わせを割り当てて塗り分け表示してもよい。
【００３７】
また、質問画面を２以上設けてもよい。例えば、上記したように、「あなたが通勤又は通学のときに利用するゾーンにふれてください。」という第１の質問を行い、アンケート被験者に画面タッチを行わせたあと、第２の質問として、「あなたがショッピングのときに利用するゾーンにふれてください。」という同様なアンケートを行ってもよい。あるいは、さらに第３、第４のアンケートを行うことも可能である。図４は、通勤・通学利用目的と、ショッピング（買物）利用目的の２つの結果を、１つの画面に表示させた例である。また、図４の例は、各目的の割合（百分率）についても質問されいる例を示している。
【００３８】
アンケート結果データは、他の表示形態であってもよい。例えば、ヒストグラム（棒グラフ）を立体的に見えるように表示した立体ヒストグラムの斜視的な画像であってもよい。この場合、各立体ヒストグラムの画面での鉛直方向の高さは、アンケートの結果の各要素地図画像ごとの２値の積算値に比例するように図示する。このようにすれば、アンケート被験者によって選択された回数が多い要素地図画像は、画面上の鉛直方向の高さが高く表示され、多く選択されたことを直感的に理解することができる。
【００３９】
また、アンケートの質問態様についても、上記したような「利用するエリア（地域又は地区）」のほか、種々の項目が可能である。例えば、「改善してほしいエリア」を選択させることも可能である。これにより、例えば、駅及び駅周辺について、利用者が改善を要望している箇所が明確になる。この場合、さらに質問を行い、改善の内容を列挙した選択枝の画面を用意しておけば、改善要望の内容についても分析が可能である。
【００４０】
さらに、あらかじめ、アンケート被験者について各種の属性情報を質問する画面を設けておくこともできる。例えば、男女の性別である。また、「１０歳代」、「２０歳代」というような年齢層も質問事項に入れることが可能である。また、「１週間に○日」というような当該駅の利用頻度も質問事項に入れることが可能である。また、アンケート被験者の居住地を、居住地名や地域ブロック等で示した選択肢から選択させたり、画面上に駅周辺を含む大きな地図を表示して選択させる、ということも可能である。このようなアンケート被験者の属性情報ごとにグループ分けを行い、このグループごとにアンケート結果（積算値、又は各種の表示）を出力させることができる。このようにすることにより、アンケート被験者の属性とアンケート結果を組み合わせることができ、よりきめ細かなアンケート分析が可能となる。
【００４１】
また、上記したアンケートは、駅以外の施設についても実施可能である。利用者が多い施設、例えば、規模の大きな店舗施設、テーマパーク等の施設、観光施設、スタジアム等のスポーツ施設、学校等の施設などである。また、その他の集客施設であってもよい。
【００４２】
また、アンケートは、位置的な情報以外にも応用可能である。例えば、「あなたが通勤又は通学のときに利用するルートを順番にふれてください。」という質問を用意し、入力装置としてタッチパネルスイッチなどを用いれば、アンケート被験者の利用する経路をデータとして得ることができる。この場合、ＣＰＵ４１は、要素地図画像Ｐ１１等のうち、選択の時間的順序が早いものから順に結合させて構成した経路を抽出する。例えば、Ｐ１１→Ｐ１２→…というような経路（以下、「選択経路」という。）である。この選択経路について、選択経路に１対１に対応する経路識別情報を付与し、ＲＡＭ４３に記憶させる。例えば、ある選択経路を「選択経路Ａ」とし、他の選択経路を「選択経路Ｂ」とする、というような方法である。そして、複数のアンケート被験者によるアンケートの結果、各選択経路ごとの経路識別の結果を積算し結果を算出する。例えば、ある選択経路が選択された回数の積算値などである。このようにすることにより、要素地図画像の選択の時間的順序を集約してアンケート分析することが可能である。
【００４３】
上記したように、本実施形態の地域評価アンケート情報収集システム１００によれば、ある地域の評価についてのアンケートを行い、その結果を的確かつ具体的に分析し、その結果を効果的に表示等出力することが可能となる。
【００４４】
なお、本発明は、上記した実施形態に限定されるものではない。上記した実施形態は、例示であり、本発明の特許請求の範囲に記載された技術的思想と実質的に同一な構成を有し、同様な作用効果を奏するものは、いかなるものであっても本発明の技術的範囲に包含される。
【００４５】
例えば、１台のコンピュータによってアンケートを行い集約するだけでなく、インターネットを利用し、ネットワークに接続している複数のコンピュータからのアンケート結果を上記と同様の論理、及び表示方法によって集約してもよい。
【００４６】
上記の実施形態において、コンピュータ１０内のＣＰＵ４１は、特許請求の範囲における制御部に相当している。また、インターネットを利用する場合は、ネットワークによって接続された複数のコンピュータのＣＰＵが、許請求の範囲における制御部に相当する。また、入力装置３０は、特許請求の範囲における入力部に相当している。また、画像表示装置２０は、特許請求の範囲における画像表示部に相当している。また、コンピュータ１０内のＲＡＭ４３は、特許請求の範囲における記憶部に相当している。
【００４７】
【発明の効果】
以上説明したように、本発明に係る地域評価アンケート情報収集システム及び地域評価アンケート情報収集システム方法によれば、画像を表示する画像表示部と、演算及び制御を行う制御部と、前記画像表示部に表示される前記画像に対して操作指令を入力する入力部と、情報を記憶する記憶部を備え、前記制御部は、設定された地域の地図画像をメッシュによって分割して複数の要素地図画像とし前記画像表示部に表示させるとともに、前記要素地図画像を前記入力部により選択可能な選択スイッチ情報を前記要素地図画像の画面領域内に埋め込んで表示させ、アンケート被験者が前記選択スイッチ情報に選択操作を行った場合には、選択又は非選択若しくは前記選択の時間的順序を前記記憶部に記憶させ、複数の前記アンケート被験者によるアンケートの結果を集約するように構成したので、ある地域の評価についてのアンケートを行い、その結果を的確かつ具体的に分析し、その結果を効果的に表示等出力することが可能となる、という利点を有している。
【図面の簡単な説明】
【図１】本発明の一実施形態である地域評価アンケート情報収集システムの全体構成を示す図である。
【図２】本発明の一実施形態である地域評価アンケート情報収集システムにおけるコンピュータのハードウェア的な構成を示す図である。
【図３】本発明の一実施形態の地域評価アンケート情報収集システムにおける画像表示装置の画面の構成を示す図である。
【図４】本発明の一実施形態である地域評価アンケート情報収集システムにおける情報処理結果の画面表示例を示す図である。
【符号の説明】
１０  コンピュータ
１１  入出力インタフェイス部
２０  画像表示装置
３０  入力装置
４１  ＣＰＵ
４２  ＲＯＭ
４３  ＲＡＭ
５０  画面
６０  出力装置
１００  地域評価アンケート情報収集システム
Ｐ１１〜Ｐｍｎ  要素地図画像
【図１】
2005004483.tif 000003
【図２】
2005004483.tif 000004
【図３】
2005004483.tif 000005
【図４】
2005004483.tif 000006